(57)【要約】【課題】  オーディオ信号の特定の周波数帯域の補正が所望の特性で良好にできるようにする。【解決手段】  入力したオーディオ信号の特定の周波数帯域の信号に対して補正処理を行う場合において、特定の周波数帯域の信号の、所定レベル以下の信号成分に対して、出力レベルを所定の曲線で上昇させる第１の補正処理と、特定の周波数帯域の信号のほぼ全信号成分に対して、出力レベルをほぼ均一に上昇させる第２の補正処理とを、それぞれ選択的に行うようにした。【選択図】      図４
2006174083.tif 000002
【特許請求の範囲】
【請求項１】
入力したオーディオ信号の特定の周波数帯域の信号に対して補正処理を行うオーディオ信号処理方法において、
前記特定の周波数帯域の信号の、所定レベル以下の信号成分に対して、出力レベルを所定の曲線で上昇させる第１の補正処理と、前記特定の周波数帯域の信号のほぼ全信号成分に対して、出力レベルをほぼ均一に上昇させる第２の補正処理とを、それぞれ選択的に行い、
前記特定の周波数帯域以外の信号に対しては、出力レベルを変化させないことを特徴とする
オーディオ信号処理方法。
【請求項２】
請求項１記載のオーディオ信号処理方法において、
前記第１の補正処理での所定レベルは、補正されたオーディオ信号を出力させるスピーカ装置の入出力特性として、特定レベル以上で入力信号に対する出力レベルの直線性がほぼ確保され、前記特定レベル以下で入力信号に対する出力レベルが低下する特性である場合における特定レベルであることを特徴とする
オーディオ信号処理方法。
【請求項３】
請求項１記載のオーディオ信号処理方法において、
前記特定の周波数帯域は、操作入力に基づいて可変設定するようにしたことを特徴とする
オーディオ信号処理方法。
【請求項４】
入力したオーディオ信号の特定の周波数帯域の信号に対して補正処理を行うオーディオ信号処理装置において、
前記特定の周波数帯域の信号の、所定レベル以下の信号成分に対して、出力レベルを所定の曲線で上昇させる補正処理を行う第１の補正手段と、
前記特定の周波数帯域の信号のほぼ全信号成分に対して、出力レベルをほぼ均一に上昇させる補正処理を行う第２の補正手段とを備えたことを特徴とする
オーディオ信号処理装置。
【請求項５】
請求項４記載のオーディオ信号処理装置において、
前記第１の補正手段で補正される前記所定レベルは、補正されたオーディオ信号を出力させるスピーカ装置の入出力特性として、特定レベル以上で入力信号に対する出力レベルの直線性がほぼ確保され、前記特定レベル以下で入力信号に対する出力レベルが低下する特性である場合における特定レベルであることを特徴とする
オーディオ信号処理装置。
【請求項６】
請求項４記載のオーディオ信号処理装置において、
前記第１及び第２の補正手段で処理する前記特定の周波数帯域を設定する操作手段を備えたことを特徴とする
オーディオ信号処理装置。
【発明の詳細な説明】
【技術分野】
【０００１】
本発明は、オーディオ信号を再生させる場合の特性補正を行うオーディオ信号処理方法及び装置に関し、特に高音質の再生が可能なハイファイ再生用のスピーカ装置を使用する場合に適用して好適な技術に関する。
【背景技術】
【０００２】
従来、高音質の再生が可能なハイファイ再生用のスピーカ装置として、各種構成のものが実用化されている。例えば、オーディオ信号の再生帯域を、低域と中域と高域の３つの帯域に分割し、それぞれの帯域ごとに個別のスピーカユニットを用意した３ウェイ構成のスピーカ装置がある。この３ウェイ構成のスピーカ装置は、各帯域用のスピーカユニットとして、それぞれの帯域での再生特性が良好なものを使用することで、低域から高域まで入力オーディオ信号に忠実な再生が可能となり、一般には１つのスピーカユニットで全ての帯域のオーディオを出力させる、いわゆるフルレンジ型のスピーカユニットに比べて、再生特性が良好になる。
【０００３】
また、このような３ウェイ構成や２ウェイ構成のようにして、スピーカ装置の再生音を高音質化する構成の他に、スピーカ装置に供給するオーディオ信号そのもの特性を、オーディオ信号処理装置であるアンプ装置側で補正して、結果的にスピーカ装置から出力されるオーディオの特性を改善することも行われている。例えば、スピーカ装置を駆動するオーディオ信号の増幅などの処理を行うオーディオアンプ装置で、ラウドネスコントロールと称される補正を行う場合がある。このラウドネスコントロールは、低音域部と高音域部を、中音域部に比べて出力レベルを増強させる補正処理を行って、主として小音量時に、低音域と高音域が不足して聞こえるのを補正するものである。
【０００４】
特許文献１には、ラウドネス補正を行う場合の再生構成の一例についての記載がある。
【特許文献１】特開２００２−１７１５８９号公報
【発明の開示】
【発明が解決しようとする課題】
【０００５】
ところが、ラウドネスコントロールされた再生音は、単に特定の周波数帯域の信号をレベルに係わらずほぼ一律に増強させてしまうので、厳密な意味で入力オーディオ信号に忠実な再生とはいえず、より入力オーディオ信号に忠実な再生ができるスピーカ装置の開発が望まれていた。即ち、従来のラウドネスコントロールされた再生音は、小音量時に聞き取り難い音を増強して再生させるので、ラウドネスコントロールされていない再生音に比べて低音域部と高音域部が聞こえやすくなり、ある程度音質を改善する効果があるが、特定の周波数帯域の信号を小レベルであっても大レベルであっても一律に増強させてしまうので、増強させる必要のない信号成分についても増強させてしまうことがあり、結果として不自然な再生音になってしまう場合がある。
【０００６】
ここで、従来のスピーカ装置での再生音の問題について説明すると、再生音が入力オーディオ信号を忠実に再現していない場合の例として、小振幅の信号の問題がある。即ち、例えば図６（ａ）に示すように、比較的大きな振幅の波形と比較的小さな振幅の波形が連続した波形の入力オーディオ信号Ｓ１がスピーカに入力した場合を想定する。このとき、スピーカからの出力オーディオ信号Ｓ２の波形としては、比較的大きな振幅の波形については、入力信号Ｓ１とほぼ同等になるが、比較的小さな振幅の波形については、入力信号Ｓ１よりも振幅が小さくなる傾向にある。これは、比較的大きな音で出力が可能な一般的な振動板を備えた形状のスピーカユニットでは、振幅が小さい小音量の信号の再現特性が悪く、小音量の信号の入出力特性のリニアリティ（直線性）が確保されないためである。
【０００７】
同様に、例えば図６（ｂ）に示すように、比較的大きな振幅の波形の入力オーディオ信号Ｓ３と、比較的小さな振幅の波形の入力オーディオ信号Ｓ４とが、時間的に重なることで、本来は両信号Ｓ３，Ｓ４が合成されたオーディオ信号Ｓ５が出力されるものが、その合成信号Ｓ５の波形よりもレベルが低下した波形の出力オーディオ信号Ｓ６がスピーカから出力される状態となっている。例えば、スピーカから再生させるオーディオとして、シンフォニーのように様々の楽器の音が同時に再生されるような場合に、このような出力状態となることがある。
【０００８】
さらに、例えば図６（ｃ）に示すように、特定の単一周波数の信号の振幅が徐々に低下するインパルス信号が入力オーディオ信号Ｓ７としてあった場合に、スピーカからの出力オーディオ信号Ｓ８の波形についても、レベルが低くなるに従って追従性が悪くなってしまう。
【０００９】
図６のいずれの例でも、スピーカからの出力としては、振幅が小さい小音量の信号の出力レベルが、入力信号レベルよりも小さくなって、小信号のリニアリティが保たれない状態となってしまう。この図６に示す状態を周波数分析すると、例えば図７に示す状態となる。図７の例は、基本波ｆ１と、その基本波の高調波である倍音ｆ２，ｆ３の感度を解析した例である。レベルが高い基本波ｆ１については、そのままのレベルで出力されるが、基本波よりもレベルが小さい倍音ｆ２，ｆ３については、破線で示した本来のレベルから低下した実線で示した出力感度となっている。
【００１０】
図８は、複数段階の信号レベルでの低域から高域までの出力特性を示した図で、図８（ａ）は理想的な特性であり、図８（ｂ）は実際のスピーカの出力特性を示した図である。図８（ａ）に示すように、理想的な状態では、４つのレベルＬ１，Ｌ２，Ｌ３，Ｌ４が、ほぼ等間隔で、低域から高域までフラットな特性となっているとする。このとき、図８（ｂ）に示す実際のスピーカの出力特性としては、出力レベルが高いレベルＬ１，Ｌ２，Ｌ３については、理想特性とほぼ同等の出力特性が確保できているが、最も低いレベルＬ４の特性については、本来必要なレベルから感度αだけ、どの周波数帯域でも低下したレベルとなっている。
【００１１】
このような感度の低下を、特定の周波数の特性として見たのが、図９の入出力特性図である。図９に示すように、本来はスピーカへの入力信号レベルの増大に対して直線的に出力レベルが増大する破線の特性ｘとなる必要があるのに対して、実際には、ある程度のレベル以上ではほぼ直線的にレベルが変化しているが、特定のレベル以下では、入力に対する振動板の動きが悪く、入力に対する出力感度が非常に悪い曲線の特性ｙとなっている。
【００１２】
具体的には、例えば一般的なスピーカによるリスニングの最大レベルを７０〜１００ｓｐｌ（音圧レベル）と想定した場合、その最大レベルより−３０ｄＢから−６０ｄＢ下がった信号は、最大レベルに対して正しく−３０ｄＢから−６０ｄＢ下がった音量が出ていない（比例していない）ということになる。仮に、１００ｓｐｌよりアンプ装置の出力を５０ｓｐｌ分下げた音量としての再生を想定すると、本来ならば５０ｓｐｌ前後での音量が得られるはずであるが、実際には例えばそれより１０ｓｐｌ低い４０ｓｐｌの出力しか得られないことになる。つまり、正確にリニアリティが取れていないということになり、満足する音質が得られない一つの大きな原因となっていることが、本発明者の解析で判った。
【００１３】
このような再生特性の悪さを補正するための従来から知られている処理の１つとしては、例えば上述したラウドネスコントロールを行って、低音域部と高音域部の出力レベルを、中音域部に比べて増強させる処理がある。また、別の処理として、例えばグラフィックイコライザと称される機器を使用して、複数に分割された周波数帯域毎に、レベルの増強又は減衰をさせて、リスナーが好みの再生音質となるように調整させる場合もある。グラフィックイコライザを使用した場合には、所望の周波数帯域の信号成分に対して補正を行うことができるが、ゲイン調整時には、ラウドネスコントロールと同様に、帯域内の全ての信号成分に対して、同じだけレベルを上昇又は低下させることになる。このような帯域内の全ての信号成分に対して、同じだけレベルを上昇又は低下させる処理は、特定の帯域の信号成分だけを目立たせたい場合などに有効であるが、比較的自然な再生音が必要な場合には、再生されるオーディオ信号のバランスが崩れて、好ましくない場合があった。
【００１４】
本発明はかかる点に鑑みてなされたものであり、オーディオ信号の特定の周波数帯域の補正が、種々の再生条件で良好にできるようにすることを目的とする。
【課題を解決するための手段】
【００１５】
本発明は、入力したオーディオ信号の特定の周波数帯域の信号に対して補正処理を行う場合において、特定の周波数帯域の信号の、所定レベル以下の信号成分に対して、出力レベルを所定の曲線で上昇させる第１の補正処理と、特定の周波数帯域の信号のほぼ全信号成分に対して、出力レベルをほぼ均一に上昇させる第２の補正処理とを、それぞれ選択的に行うようにしたものである。
【００１６】
このようにしたことで、信号を強調したい周波数帯域の所定レベル以下の小振幅の信号のレベルだけを上昇させる処理と、信号を強調したい周波数帯域内を信号レベルに係わらず全てレベルを上昇させる処理とを、選択的に行うことができ、そのときに望まれる再生音質に応じて、所望の補正状態を選択できるようになる。
【発明の効果】
【００１７】
本発明によると、信号を強調したい周波数帯域の所定レベル以下の小振幅の信号のレベルだけを上昇させる処理と、信号を強調したい周波数帯域内を信号レベルに係わらず全てレベルを上昇させる処理とを、選択的に行うことができ、そのときに望まれる再生音質に応じて、所望の補正状態を選択でき、入力オーディオ信号に対して、特定の帯域の強調などの補正をしたい場合と、特定の帯域の小レベル信号だけの補正をしたい場合との、いずれの補正状態でも対処でき、操作者が好みの音質に調整できるようになる。
【００１８】
この場合、第１の補正処理での所定レベルは、補正されたオーディオ信号を出力させるスピーカ装置の入出力特性として、特定レベル以上で入力信号に対する出力レベルの直線性がほぼ確保され、特定レベル以下で入力信号に対する出力レベルが低下する特性である場合における特定レベルであることで、接続されたスピーカ装置の特性に合わせた良好な信号補正が行える。
【００１９】
また、特定の周波数帯域は、操作入力に基づいて可変設定するようにしたことで、任意の周波数帯域を良好に信号補正できるようになる。
【発明を実施するための最良の形態】
【００２０】
以下、本発明の一実施の形態を、図１〜図５を参照して説明する。図１は、本実施の形態によるシステム構成例を示した図である。本例においては、スピーカ装置が接続されたオーディオ再生システムとしてあり、図１はその全体のシステム構成例を示した図である。本例では、オーディオ信号源１０がグラフィックイコライザ１００を介してアンプ装置２０に接続してあり、オーディオ信号源１０でＣＤ（ディスク），メモリなどの媒体に記録（記憶）されたオーディオ信号を再生して、その再生して出力されるオーディオ信号を、グラフィックイコライザ１００で処理した後、アンプ装置２０に供給し、アンプ装置２０でスピーカ装置を駆動するオーディオ信号とする処理を行う。ここで本例のグラフィックイコライザ１００は、複数の補正状態が設定できるハイブリッド型のグラフィックイコライザとしてある。ハイブリッド型のグラフィックイコライザの具体的な構成や処理状態については後述する。
【００２１】
本例の場合には、オーディオ信号源１０から出力されるオーディオ信号は、左チャンネル用オーディオ信号と右チャンネル用オーディオ信号の２チャンネルの信号である。アンプ装置２０から出力される左チャンネル用オーディオ信号は、左チャンネル用スピーカ装置３０Ｌに供給して出力させ、右チャンネル用オーディオ信号は、右チャンネル用スピーカ装置３０Ｒに供給して出力させる。なお、後述するグラフィックイコライザなどの構成については、１系統（１チャンネル）の信号処理構成だけを示してあるが、実際には処理するチャンネル数分用意されている。
【００２２】
各スピーカ装置３０Ｌ，３０Ｒの構成について説明すると、各スピーカ装置３０Ｌ，３０Ｒは、それぞれオーディオを出力させる音響出力手段としてのスピーカユニットとして、１個のスピーカユニット３１を備える。それぞれのスピーカユニット３１は、出力される周波数帯域から見た特性としては、可聴帯域内でほぼフラットな周波数特性で、低域から高域まで出力される特性をもつ、いわゆるフルフレンジ型のスピーカユニットであり、比較的大きな振動板を備えて、大音量の信号の出力が可能な比較的大型のスピーカユニットとしてある。スピーカユニット３１については、振動板が比較的大きいために、所定レベル以上の大信号の入出力特性のリニアリティ（直線性）がほぼ保たれ、所定レベル以下では入出力特性のリニアリティが確保されず、入力信号レベルに対して出力信号レベルが劣るものを使用してある。即ち、背景技術の欄で図９を参照して説明した特性ｙとなるスピーカユニットを使用してある。このような特性を持つスピーカユニットは、スピーカとして一般的なものである。
【００２３】
本例においては、このような特性を持つスピーカユニット３１を使用したスピーカ装置３０Ｌ，３０Ｒが接続されたオーディオ再生システムにおいて、スピーカ装置３０Ｌ，３０Ｒに供給するオーディオ信号を処理するアンプ装置２０の前段に接続されたグラフィックイコライザ１００で、信号の特性補正を行うようにしたものである。
【００２４】
図２は、本実施の形態のグラフィックイコライザ１００を、アナログ回路構成とした場合の構成例を示した図である。以下その構成を説明すると、オーディオ信号入力端子１０１に入力したオーディオ信号を、バッファアンプ１０２を介してゲイン型イコライザ部１０３に供給する。
【００２５】
ゲイン型イコライザ部１０３は、例えば入力したオーディオ信号を、バンドパスフィルタを使用して、予め設定された複数の周波数帯域の信号成分に分割し、その分割したそれぞれの帯域毎に、個別に信号を増幅（又は減衰）させるゲインを設定して、信号の強調又は減衰が帯域内の信号に対してほぼ均一にできる構成としてある。各帯域で処理された信号の出力は合成されて出力される。ゲイン型イコライザ部１０３での各帯域での増幅量又は減衰量は、例えば図示しない操作部の操作に基づいて個別に設定できる。それぞれの帯域では、増幅や減衰を全く行わない状態に設定することもできる。
【００２６】
ゲイン型イコライザ部１０３で処理された信号は、ダイナミックレンジ型イコライザ部１０５に供給する。ダイナミックレンジ型イコライザ部１０５は、例えば入力したオーディオ信号を、バンドパスフィルタを使用して、予め設定された複数の周波数帯域の信号成分に分割し、その分割したそれぞれの帯域毎に、所定レベル以下の信号成分に対してだけ信号を増幅（又は減衰）させる処理を行うように、各種回路素子やオペアンプなどのアナログ回路部品を接続して構成したもので、所定レベル以下での処理状態についても直線的な増幅ではない所定の補正特性を設定してある。このダイナミックレンジ型イコライザ部１０５での処理状態の詳細については後述する。そして、それぞれの帯域で処理された信号の出力は合成されて出力される。
【００２７】
ダイナミックレンジ型イコライザ部１０５の出力は、バッファアンプ１０６を介してオーディオ信号出力端子１０７に供給し、出力端子１０７に接続された後段の装置（ここではアンプ装置２０）に供給する。
【００２８】
図３は、本実施の形態のグラフィックイコライザ１００を、デジタル回路構成とした場合の構成例を示した図である。以下その構成を説明すると、オーディオ信号入力端子１１１に入力したオーディオ信号を、バッファアンプ１１２を介してゲイン型イコライザ部１２０とダイナミックレンジ型イコライザ部１３０とに供給する。
【００２９】
ゲイン型イコライザ部１２０は、主としてデジタル演算処理で、それぞれ別の設定された周波数帯域の信号成分について、増幅（又は減衰）を行うように設定されたゲイン型イコライザ１２１，１２２，１２３…１２９が複数段接続してある。各ゲイン型イコライザ１２１〜１２９での増幅又は減衰は、帯域内の信号に対してほぼ均一に行う構成としてある。それぞれの帯域のゲイン型イコライザ１２１〜１２９での増幅量又は減衰量は、例えば図示しない操作部の操作に基づいて個別に設定できる。それぞれの帯域で、増幅や減衰を全く行わない状態に設定することもできる。
【００３０】
ダイナミックレンジ型イコライザ部１３０は、主としてデジタル演算処理で、それぞれ別の設定された周波数帯域の信号成分について、所定レベル以下の信号成分だけを、所定の補正特性で、増幅又は減衰させるダイナミックレンジ型イコライザ１３１，１３２，１３３…１３９が複数段接続してある。それぞれの帯域のダイナミックレンジ型イコライザ１３１〜１３９での増幅量又は減衰量は、例えば図示しない操作部の操作に基づいて個別に設定できる。それぞれの帯域で、増幅や減衰を全く行わない状態に設定することもできる。
【００３１】
主としてデジタル演算処理で信号処理を行う各ゲイン型イコライザ１２１〜１２９及びダイナミックレンジ型イコライザ１３１〜１３９については、例えばＤＳＰ（デジタル・シグナル・プロセッサ）と称されるオーディオ信号用の集積回路を使用して組むことができる。また、各ゲイン型イコライザ１２１〜１２９及びダイナミックレンジ型イコライザ１３１〜１３９が扱う周波数帯域については、それぞれ固定的に個別の周波数帯に設定しても良いが、デジタルフィルタなどでの演算処理で周波数分割を行う構成の場合、フィルタに設定する係数などの変更で、抽出する周波数帯域を可変設定できるようにしてもよい。抽出する周波数帯域の帯域幅についても可変できるようにしてもよい。
【００３２】
各ゲイン型イコライザ１２１〜１２９及びダイナミックレンジ型イコライザ１３１〜１３９で処理された信号は、合成部１１３に供給して１系統の信号に合成し、その合成信号を、バッファアンプ１１４を介してオーディオ信号出力端子１１５に供給して、出力端子１１５に接続された後段の装置（ここではアンプ装置２０）に供給する。
【００３３】
なお、図３の構成ではオーディオ信号をデジタル化するデジタル／アナログ変換器や、デジタル信号をアナログ化するアナログ／デジタル変換器については省略してある。
【００３４】
次に、本例のハイブリッド型グラフィックイコライザ１００での処理例について説明する。図４（ｃ）は、本例のハイブリッド型グラフィックイコライザ１００で、ゲイン型イコライザによる増幅処理とダイナミックレンジ型イコライザによる特性補正処理とを同時に行った場合の一例を示した図である。この図４は、横軸が周波数で縦軸が信号レベルを示し、ここでは図４（ｃ）に示すように、周波数帯域Ｆ１で、ゲイン型イコライザによる増幅を行うと共に、周波数帯域Ｆ２で、ダイナミックレンジ型イコライザによる増幅（特性補正）を行うようにしてある。
【００３５】
周波数帯域Ｆ１でのゲイン型イコライザによる増幅については、従来から行われているイコライザによる増幅処理であり、図４（ａ）に示すように、その帯域内の全てのレベルの信号成分について、ほぼ均一にレベルを高くする増幅処理を行うようにしてある。イコライザが備えるアンプのゲインの調整で、高くするレベルを調整することができる。
【００３６】
周波数帯域Ｆ２で、ダイナミックレンジ型イコライザによる特性補正については、図４（ｂ）に示すように、その帯域内の所定レベル以下の小レベルの信号成分に対して、主としてスピーカの入出力特性の悪さを補正するための補正処理が行われる。即ち、周波数帯域Ｆ２内のオーディオ信号について、所定レベル以上の大信号についてはレベルを変化させず、所定レベル以下の小信号についてはレベルを上昇させるようにしてある。この所定レベルとしては、例えば、接続されたスピーカ装置３０Ｌ，３０Ｒが備えるスピーカユニット３１が持つ入出力特性により決まる。ここでは、スピーカユニットの入出力特性のリニアリティ（直線性）がほぼ保たれる範囲と、入出力特性のリニアリティが確保されない範囲との境界を所定レベルとほぼ一致するようにする。また、所定レベル以下の小信号のレベルを上昇させる特性としては、レベルが低い程、入力と出力を等しくした特性に比べて増加率が高くなるような曲線で示される特性となるようにしてあり、スピーカユニットが持つ入出力特性の悪さを補正するように働くようにしてある。
【００３７】
具体的には、背景技術の欄で説明した図９に示したように、スピーカユニットの入出力特性として、所定レベル以下では、入出力特性のリニアリティが確保されない曲線で示される特性ｙとなっているとすると、周波数帯域Ｆ２内で所定レベル以下のオーディオ信号について、例えば図５に示すように、その特性ｙの入力と出力をほぼ逆にした特性ｂとなるようにする。なお、図５に示した特性ａは、入出力のリニアリティが確保された理想的な特性を参考までに示したものである。
【００３８】
但し、図５に示した特性ｂとなる調整量を基準調整量として、その基準調整量から、小信号の増加率などをユーザ操作などで増減できるように調整できるようにしてもよい。また、小信号のレベルを上昇させる境界点となるレベル（上述した所定レベル）の値そのものを可変設定できるようにしてもよい。
【００３９】
このようなダイナミックレンジの補正処理が行われることで、その補正が行われた周波数帯域内では、入出力のリニアリティの悪さが補正されることになり、理想的な特性ａに近い特性となる。例えば、比較的小レベルの信号が聞き取り易い高域や中域の周波数帯域について、図５に示したようなダイナミックレンジの補正処理を行うことで、接続されたスピーカ装置３０Ｌ，３０Ｒからの出力特性が良好なものになる。この場合、大レベルの信号の再生レベルについては、該当する周波数帯域Ｆ２内で全く補正（増強）されないので、全体的な再生バランスを乱すことなく、所望の周波数帯域についてダイナミックレンジ補正が行える。
【００４０】
そして本例においては、このようなダイナミックレンジ補正を行うイコライザとしての図４（ｂ）に示した処理と、ゲイン型イコライザとしての図４（ａ）に示した処理とを同時に任意の周波数帯域に対して行うことができるので、好みの再生音質に調整することができる。具体的には、任意の周波数帯域を全体的に強調させるイコライザ処理と、任意の周波数帯域でスピーカ特性を補正するダイナミックレンジ補正処理とが可能であり、例えば再生させるオーディオに適した音質を簡単に設定できるようになる。
【００４１】
なお、図４の例では、ゲイン補正とダイナミックレンジ補正を、それぞれ１つずつの帯域Ｆ１，Ｆ２で行うようにしたが、それぞれ複数の帯域（或いは全ての帯域）で同様の補正を行うようにしてもよい。或いは、何れか一方の補正については、全く補正を行わないようにしてもよい。
【００４２】
また、１つの特定の周波数帯域に対して、ゲイン補正とダイナミックレンジ補正を同時に行うようにしてもよい。このようにすることで、その帯域のスピーカ特性の補正と、その帯域の強調とを同時に行うことができ、より多彩な再生音質の設定が可能になる。
【００４３】
なお、上述した実施の形態では、オーディオ再生システムの設置例については特に説明しなかったが、この種の信号処理が必要な各種オーディオ機器に適用可能である。例えば、自動車などの車両に搭載した、いわゆるカーステレオ用の再生システムに適用することで、車外ノイズの影響が大きい再生環境において、一般にノイズにかき消されやすい小レベルの音が聞き取り易く補正することが可能であると共に、全体的に強調したい帯域を増強させることで、再生音質の向上と、好みの音質への調整との双方を行うことができる。
【００４４】
また、上述した実施の形態では、補正処理を行う周波数帯域の分割例については、具体的な例を特に示さなかったが、グラフィックイコライザとして周知の各種分割例が適用できる。例えば、可聴帯域を４帯域ぐらいの比較的少ない分割数で分けた場合から、十帯域以上に細かく分けた場合のいずれでもよい。
【００４５】
また、用意されたフィルタで分割帯域を固定的に決めるのではなく、各帯域の周波数位置や周波数帯域幅を可変設定できる構成として、補正処理を行う任意の周波数帯域などを設定できる構成としてもよい。
【００４６】
また、上述した実施の形態では、補正処理を行う専用のオーディオ信号処理手段（補正手段）として、グラフィックイコライザを用意して、オーディオ信号源とアンプ装置との間に接続する構成としたが、オーディオ信号源，アンプ装置又はスピーカ装置などの各種オーディオ機器に、同様の補正処理を行う補正手段を内蔵させて、処理させるようにしてもよい。
【００４７】
或いは、パーソナルコンピュータ装置の如き演算処理装置に、オーディオ信号を入出力可能なポートを設けて、その演算処理装置に同様のオーディオ信号補正処理を行うプログラムを実装させて、演算処理で同様のオーディオ信号の補正処理を行う装置を実現するようにしてもよい。
【００４８】
また、上述した実施の形態では、図１に示した２チャンネルオーディオ再生用のシステムへの適用を想定したが、５．１チャンネルなどのマルチチャンネルオーディオ再生用のシステムとして構成してもよい。
【図面の簡単な説明】
【００４９】
【図１】本発明の一実施の形態によるシステム構成例を示すブロック図である。
【図２】本発明の一実施の形態によるグラフィックイコライザをアナログ回路で構成した例を示すブロック図である。
【図３】本発明の一実施の形態によるグラフィックイコライザをデジタル回路で構成した例を示すブロック図である。
【図４】本発明の一実施の形態による補正特性例を示した特性図である。
【図５】本発明の一実施の形態による補正した帯域内での特性例を示した特性図である。
【図６】従来のスピーカの出力波形例を示した説明図である。
【図７】従来のスピーカの信号レベルの例を示した説明図である。
【図８】理想的なスピーカの出力特性例（ａ）と従来のスピーカの出力特性例（ｂ）を示した説明図である。
【図９】従来のスピーカの入出力特性の例を示した説明図である。
【符号の説明】
【００５０】
１０…オーディオ信号源、２０…アンプ装置、３０Ｌ，３０Ｒ…スピーカ装置、３１…スピーカユニット、１００…グラフィックイコライザ、１０１…オーディオ信号入力端子、１０２…バッファアンプ、１０３…ゲイン型イコライザ部、１０５…ダイナミックレンジ型イコライザ部、１０６…バッファアンプ、１０７…オーディオ信号出力端子、１１１…オーディオ信号入力端子、１１２…バッファアンプ、１２０…ゲイン型イコライザ部、１３０…ダイナミックレンジ型イコライザ部、１１３…合成部、１１４…バッファアンプ、１１５…オーディオ信号出力端子
【図１】
2006174083.tif 000003
【図２】
2006174083.tif 000004
【図３】
2006174083.tif 000005
【図４】
2006174083.tif 000006
【図５】
2006174083.tif 000007
【図６】
2006174083.tif 000008
【図７】
2006174083.tif 000009
【図８】
2006174083.tif 000010
【図９】
2006174083.tif 000011